(57)【特許請求の範囲】
【請求項１】
衣類架のための照明システムであって、
前記衣類架内に組み込まれている１つ以上の光源と、
人と前記衣類架との間の距離を検出する１つ以上の距離センサと、
前記距離センサによって検出された前記距離の変化とともに、前記光源の照明の動的さを制御する制御ユニットと、
を有する照明システム。
【請求項２】
前記光源の照明の動的さの制御は、１つのモードから他のモードへの切換えを含んでいる、請求項１記載の照明システム。
【請求項３】
１つのモードから他のモードへの前記切換えは、生成される照明をパルス照明から静的な照明へと滑らかに切換えるために、前記光源のための制御信号として傾斜をつけられた鋸歯信号の生成を含んでいる、請求項２記載の照明システム。
【請求項４】
前記光源のための制御信号としての前記傾斜をつけられた鋸歯信号の生成は、前記距離センサによって検出された前記距離に依存した、前記パルス照明のパルス強度の変化を含んでいる、請求項３記載の照明システム。
【請求項５】
前記１つ以上の距離センサは、前記衣類架に位置されているか又は前記衣類架内に組み込まれている、請求項１乃至４の何れか一項に記載の照明システム。
【請求項６】
前記１つ以上の距離センサが、前記衣類架に接続されている、請求項１乃至５の何れか一項に記載の照明システム。
【請求項７】
前記衣類架内に組み込まれているスイッチであって、前記距離の変化とともに前記照明を制御する前記光源のための制御信号の生成を可能にするために設けられているスイッチを更に有する、請求項１乃至６の何れか一項に記載の照明システム。
【請求項８】
前記制御ユニットは、前記照明システムを、前記１つ以上の距離センサ及び前記制御ユニットを有している中央照明システムに接続するネットワーク接続を有している、請求項１乃至７の何れか一項に記載の照明システム。
【請求項９】
請求項１乃至８の何れか一項に記載の照明システムの光源のための制御信号を生成する方法であって、
前記距離センサからの信号を受け取るステップと、
受信された前記信号を評価するステップと、
この評価の変化とともに前記光源の照明の動的さを制御する前記光源のための制御信号を生成するステップと、
を有する方法。
【発明の詳細な説明】
【技術分野】
【０００１】
本発明は、衣類架のための、特に、衣類架のレールに掛かっている衣類のための誘引照明を作るためのインタラクティブ照明システムに関する。
【背景技術】
【０００２】
店舗において、製品に対する充分な照明を有することは重要であるが、同時に、適切な店舗の雰囲気を有することも重要である。特に、より高い階層の店舗において、店舗の管理者は、しばしば、これらがより優雅に見え独占的な排他的な雰囲気を作ることから、低いレベルの照明を好む。結果として、アクセント照明が、商品を適切に照明するために必要となっている。買い物客のための特定の問題は、衣類架のレールに掛かっている衣類中に目を通すことである。
【発明の概要】
【発明が解決しようとする課題】
【０００３】
しばしば、上述したように、単に十分な照明がなく、時々、買い物客は、当該照明が自分自身によって遮られるので、ちょうど自身が見ている場所に影を落とす。
【０００４】
従って、本発明の目的は、衣類架のためのインタラクティブ照明システムであって、対象（例えば、前記衣類架の衣類レール又はカーテンレールに掛かっている衣類）の特徴を見るのに充分な照明を作ることができるインタラクティブ照明システムを提供することにある。
【課題を解決するための手段】
【０００５】
この目的は、添付の独立請求項により達成される。更なる実施例は、添付の従属請求項により示されている。
【０００６】
本発明の基本的な思想は、人のような対象の検出に依存して、衣類架内に組み込まれている光源を制御することにある。このことは、一種のインタラクティブ照明機能の実施化を可能にし、更に、買い物客に対する誘引機能の実施化を可能にする。従って、本発明は、特に店舗に適している。店舗は、しばしば或る衣服を優雅で繊細な仕方において買い物客の注目下におきたいと思っているからである。本発明の実施例によれば、衣類架における照明は、遠くから人々の注意をひくために、動的にされることができる。ひとたび、人の注意がひかれ、人が前記衣類架に近づくと、当該照明は、理想的には、あまり気を散らし悩ましいものにならないように、あまり動的であってはならない。ユーザが、実際に、前記衣類架の衣服を見ている及び閲覧している場合、前記照明は、例えば、高い光強度のレベルで静的になることができる。
【０００７】
本発明の一実施例によれば、
−  衣類架内に組み込まれている１つ以上の光源と、
−  対象を検出するのに適している１つ以上のセンサと、
−  前記センサからの信号を受け取り、受信された前記信号を評価し、この評価に依存して前記照明を制御する前記光源のための制御信号を生成する制御ユニットと、
を有する前記衣類架のためのインタラクティブ照明システムが提供される。
【０００８】
このインタラクティブ照明システムは、前記衣類架の前に立っている人のような、対象の検出に依存する、前記システムの光源によって作られる照明の制御を可能にする。前記制御ユニットは、例えば、特定の機能を実行するように特定のソフトウェアにより構成されているマイクロコントローラによって実施化されていても良い。
【０００９】
本発明の一実施例によれば、前記制御ユニットは、更に、前記センサから受け取られる信号の評価に依存して、前記光源の照明の動的さを制御するのにものであり得る。前記照明の動的さの制御は、ユーザ誘引機能の実施化を可能にする。
【００１０】
本発明の他の実施例によれば、当該光源の照明の動的さの制御は、当該衣類架の前に検出された対象に依存しても良い。例えば、当該システムが、当該衣類架に接近している人を検出した場合、前記システムは、人を誘引するために前記光源を特定の照明モードに切替えても良い。
【００１１】
更に、当該光源の照明の動的さの制御は、本発明の更なる実施例による衣類架の前に検出された対象と前記衣類架との間の距離に依存しても良い。例えば、この動的さは、人が前記衣類架に接近した場合、当該システムの制御が、検出された距離に依存して前記照明を変化させ、例えば、人が当該衣類架の更に近くに来た場合、前記照明を、点滅のような誘引照明から、より静的な照明に変更するように、制御されることができる。
【００１２】
本発明の一実施例によれば、当該光源の照明の動的さの制御は、前記照明を１つのモードから他のモードへ切り換えるステップを有していても良い。例えば、人が検出された場合、前記照明は、最初に、点滅のような誘引モードに切り換えられることができる。この場合、人と衣類架と間の距離が所定のしきい未満である場合、前記照明は、人が前記衣類架に掛かっている衣類を確認するのを可能にするように、より高い強度における更に静的な照明による確認モードに切り換えられることもできる。
【００１３】
１つのモードから他のモードへの前記照明の切換えは、本発明の一実施例によれば、生成される光をパルス照明から静的な光まで滑らかに切換えるために、前記光源に対する制御信号としての傾斜された鋸歯信号の生成を含んでいても良い。
【００１４】
更に、前記前記光源に対する制御信号としての傾斜をつけられた鋸歯信号の生成は、前記衣類架の前に検出された対象と前記衣類架との間の距離に依存して、前記パルス照明の強度を変化させることを含んでいても良い。
【００１５】
前記１つ以上のセンサは、１つ以上の人存在検出センサと、人距離検出センサ（例えば、赤外線又は超音波センサ）とを含み得る。赤外線センサは、このセンサにより監督されている領域内の人の存在を確実に検出するのに適している。超音波センサは、例えば、前記センサにより送信されるパルスと対象（例えば、人）により反射されるパルスとの間のドップラーシフトを決定することによって、前記対象とセンサ自体との間の距離を検出するのに適している。
【００１６】
前記１つ以上のセンサは、前記衣類架に位置されていても良く、又は前記衣類架内に組み込まれていても良い。例えば、センサは、前記衣類架の前に立っている又は前記衣類架に接近している人を確実に検出するために、前記衣類架の最上部に組み込まれていても良い。更に、１つ以上のセンサが、レールに掛かっている衣服を確認している買い物客に充分な照明を提供するために、前記衣類架の衣類レール内に組み込まれていても良い。更に、センサは、前記衣類架の近くの壁に固定されており、人を確実に検出できるように適応化されていても良い。
【００１７】
本発明の一実施例によれば、前記１つ以上のセンサが、前記衣類架に接続されるように適応化されていても良い。例えば、センサは、前記衣類架のコネクタ上のこれをクリックすることによって前記衣類架に簡単に接続されることができる一種の「クリックオン」センサとして実施化されても良い。このことは、センサの簡単で速い置換を可能にする。
【００１８】
前記照明システムは、本発明の一実施例によれば、前記衣類架内に組み込まれているスイッチであって、評価に依存して前記照明を制御する前記光源に対する制御信号の生成を可能にするように設けられているスイッチを含み得る。しばしば、店舗において、例えば、特別な提供に関して買い物客をひきつけるためには、１つ又は２つ衣類架のみが本発明によるインタラクティブな機能を有するべきである。従って、前記スイッチは、特別な提供を伴っている前記衣類架に関するインタラクティブ機能を有効にすると共に、前記他の衣類架に関するインタラクティブ機能を無効にする。
【００１９】
前記衣類架は、更に、前記衣類架を、１つ以上のセンサ及び前記制御ユニットを含んでいる中央照明システムに接続するのに適しているネットワーク接続を有していても良い。従って、前記衣類架は、単に、前記光源を含んでいるだけでも良く、前記システムのセンサ及び制御機能は、前記中央照明システムの一部であっても良い。例えば、前記照明システムは、より大きい店舗及び前記店舗内の衣類架のための幾つかの複雑な照明制御機能を実行するための効率的なコンピュータを含んでいても良い。
【００２０】
本発明の更なる実施例によれば、本発明の照明システムの光源に対する制御信号を生成する方法であって
−  前記センサから信号を受け取るステップと、
−  受け取られた前記信号を評価するステップと、
−  前記評価に依存して前記照明を制御する前記光源に対する制御信号を生成するステップと、
を有する方法が提供される。
【００２１】
この方法は、前記センサから受け取られる信号の評価に依存して、前記光源の照明の動的さを制御するステップを更に含んでいても良い。更に、当該方法は、前記衣類架の前に検出された対象に依存して、前記光源の照明の動的さを制御するステップを含んでいても良い。更に、当該方法は、前記衣類架の前に検出された対象と前記衣類架との間の距離に依存して、前記光源の照明の動的さを制御するステップを含んでいても良い。特に、前記光源の照明の動的さを制御するステップは、前記光源を１つのモードから他のモードへ切り換えるステップを有していても良い。１つのモードから他のモードへの前記照明の切り換えは、生成される照明を、パルス照明から静的な光まで滑らかに切り換えるための前記光源に対する制御信号として、傾斜をつけられた鋸歯信号を生成するステップを有していても良い。前記光源に対する制御信号としての傾斜をつけられている鋸歯信号の生成は、前記衣類架の前に検出された対象と前記衣類架との間の距離に依存して、前記パルス照明のパルス強度を変化させるステップを有していても良い。
【００２２】
更に、本発明は、コンピュータにより実行された場合に、本発明による局所的な照明を作る方法を実行できるコンピュータプログラムに関する。本発明は、このコンピュータプログラムを記憶している記録媒体も提供する。
【００２３】
最後に、本発明は、一実施例によれば、本発明による方法を実行するようにプログラムされているコンピュータであって、本発明によるインタラクティブ照明システムと通信する通信手段を有しているコンピュータにも関する。
【００２４】
本発明のこれら及び他の見地は、以下に記載される実施例を参照して、明らかになり、説明されるであろう。
【００２５】
本発明は、以下の例示的な実施例を参照して、更に詳細に記載される。しかしながら、本発明は、これらの例示的な実施例に限定されるものではない。
【図面の簡単な説明】
【００２６】
【図１】本発明による衣類架のためのインタラクティブ照明システムの実施例を示している。
【図２】図１に示されている衣類架のための組込型センサを有する衣服レールの詳細図である。
【図３】本発明によるインタラクティブ照明システムの実施例のブロック図を示している。
【図４】本発明によるインタラクティブ照明システムの他の実施例のブロック図を示している。
【図５】本発明によるインタラクティブ照明システムにより生成される制御信号の例示的な過程を有する線図を示している。
【発明を実施するための形態】
【００２７】
以下において、機能的に類似の又は同一の要素は、同一の符号を有し得る。絶対値は、単に例示的な値であり、本発明に対する制限的なものと理解されるものではない。
【００２８】
図１は、店舗用の衣類架１２のためのインタラクティブ照明システム１０を示している。衣類架１２内に、幾つかの光源１４が組み込まれている。更に、衣類架１２は、人の存在を検出することができるセンサ１６、１８及び２０を備えている。センサ１６及び１８は、衣類架１２の衣服レール３４内に組み込まれている。図２は、衣服レール３４内に組み込まれているセンサ１８を詳細に示している。システム１０は、センサ１６、１８及び２０から信号２６を受け取ると共に光源１４に対する制御信号２８を生成する制御ユニット２４を更に有している。
【００２９】
制御ユニット２４は、照明制御ソフトウェアにより制御されるコンピュータである。特に、前記ソフトウェアは、センサ１６、１８及び２０からの信号２６によって、衣類架１２の前に立っている人と衣類架１２との間の距離３２を検出し、人の存在の検出と測定された距離３２とに依存して、前記照明の動的レベル（dynamics level）を調整するように構成されている。このようにすることで、前記衣類架から特定の距離における人の注目は、前記動的レベルがこの距離に調整されたときから、適切な仕方で寄せられることができる。動的な照明によってユーザの注目が寄せられるこのモードは、「フリッティング（flirting）モード」と称される。このフリッティングモードの２つの可能な変形は、制御ユニット２４において実施化されることができ、以下に記載される。
【００３０】
基本的なフリッティングモード：
本発明の一実施例において、前記衣類架の近くの人の存在を検出することができる存在センサが使用されており、この情報は、「フリッティングモード」（例えば、パルスのような、動的な光）から「サーブモード」（（高い光強度における機能的な静的照明）に簡単に切り換わるために、制御ユニット２４内に実施化されているソフトウェアにより使用されている。前記フリッティングモードのための様々な照明効果に関する実験によれば、パルス照明が、繊細で美学的に気持ちの良い仕方において、注意を引く素晴らしい仕方であることが分かっている。パルス照明は、図５に示されているような「傾斜されている／鋸歯」信号により実現されることができ、後述される。フリッティングモードからサーブモードに切り換わる際、又はサーブモードからフリッティングモードに切り換わる際、前記照明は、店舗内に居る買い物客の気を散らす又は悩ましてはならないので、一方のモードから他方のモードへの滑らかな遷移を生じることが、有利であり得る。従って、この遷移は、常に、光強度レベルが、同じランプを使用する新しいモードにおいて必要とされるレベルに段階的に適応化されるように実行されることができる。
【００３１】
適応フリッティングモード：
本発明の更に有利な実施例において、フリッティングモードの照明の動的レベルは、検出された人と前記衣類架との間の距離に依存するようにされることができる。前記パルス照明は、例えば、人―衣類架間の距離が減少すると共に、パルス強度（振幅）を減少させることができる。このことの思想は、更なる動的さが、人の注意を遠くから引くのに必要であり適しているということにある。しかしながら、ひとたび人が前記衣類架に接近すると、更に繊細な効果が、より適したものにされることができる。このようにして、ひとたび人が前記衣類架に近寄れば、パルスの動的さは、おおよそ適切な光強度レベルにおいて、徐々に弱まる。
【００３２】
好ましくは、人の存在の検出と距離とが、（例えば、赤外線又は超音波の）１つのセンサ内で組み合わされ、前記１つのセンサは、衣類架に位置されている（センサ２０）、又は衣類架内に組み込まれている（衣類レール３４内に組み込まれている、センサ１６及び１８）。
【００３３】
フリッティングモードのような動的な効果を、店舗内の１つ又は少数の衣類架のみに制限し、手に負えない動的な照明効果は作らないことが望ましい。従って、衣類架は、ユーザが「インタラクティブ」なものから「受動的」なものまで衣類架を切り換えることを可能にするセンサ及びスイッチを備えていることができる。
【００３４】
当該衣類架のシステムは、制御ユニット２４のネットワーク接続３０によって、店舗内の一般的な照明システムに接続されることもできる。このようにして、前記一般的な照明システムのセンサは、ユーザの存在及び距離を決定するのに使用されることができる。これは省エネルギーのためにも使用されることができ、顧客が店舗内（の或る部分）にいない場合、当該照明は中央に調光される又はオフに切換えられることができる。
【００３５】
更に、当該店舗の一般的な照明システムの照明の設定は、より強い効果を作るように、如何なる瞬間においても当該衣類架のあるモードに適応化されることができる。
【００３６】
図３は、本発明による照明システムの技術的な認識を示している。ネットワーク接続３０は、任意のものであり、上述の様々な目的のために使用されることができる。制御ユニット２４は、光源３６のための供給信号を生成する信号生成器３６を制御する。制御ユニット２４及び信号生成器３６は、本線に接続されている電源ユニット３８により給電されている。
【００３７】
更なる実施例が、図４に示されている。図３の実施例とは対照的に、この実施例は当該衣類架内に組み込まれている１つの蛍光灯１５と、僅かに中央へ指向されている衣類レールの両端に固定されている２つのセンサ１６及び１８とを使用している。蛍光灯１５の照明の動的さを制御することができるように、当該システムは、信号生成器３６と蛍光灯１５との間で切換えられるＨＦ（高周波数）調整器４０を有している。
【００３８】
図５は、図４の実施例の２つのセンサからの組み合わせられた情報が、一例のアプローチ信号１０８をどのように生成するのかと、このアプローチ信号１０８が、基本的なフリッティングモードのためのパルス照明効果１０２を生成するための制御信号１００を生成するのにどのように使用されるのかとを示している。人の存在が検出された瞬間、当該照明は、パルス状態（pulsating）を停止し、直接的にであるが段階的に（パルス状態の場合に使用されているのと同じランプにより）高い強度による安定した照明１０４（図５におけるサーブモード）になる。人の存在がもはや検出されない場合、前記制御信号は、パルス照明１０６によるフリッティングモードに切り換わって戻る。このメカニズムの利点は、モード切換えにおける即時応答が提供できることにあるが、一方のモードから他方のモードへの途切れのない遷移を提供できることにもある。
【００３９】
本発明は、衣類架におけるインタラクティブ照明機能を実施化し、買い物客の注目を誘引する照明効果を作るのを可能にするという主要な有利な点を有している。
【００４０】
本発明の機能は、ハードウェア又はソフトウェアにより実行されても良い。ソフトウェアにおける実施化の場合、単一又は複数の標準的なマイクロプロセッサ又はマイクロコントローラが、本発明を実施化する単一又は複数のアルゴリズムを処理するのに使用されることができる。
【００４１】
「有する」なる語は、他の要素又はステップを排除するものではなく、単数形の構成要素は、複数の構成要素を排除するものではないことに留意されたい。更に、前記請求項内の如何なる符号も、本発明の範囲を制限するものとして解釈されてはならない。
【図１】
0005398702.tif 000002
【図２】
0005398702.tif 000003
【図３】
0005398702.tif 000004
【図４】
0005398702.tif 000005
【図５】
0005398702.tif 000006